(57)【要約】【課題】長尺物を切断する際に長尺物がさらに引き出されることを防ぐことができる巻回体収容箱及び巻回体入り収容箱を提供する。【解決手段】巻回体収容箱１は、巻回体９１ｒを収容する本体部１０と、後板端辺１８に回動可能に連接されて開口面１０ｈを覆う蓋部２０とを備える。蓋部２０は、閉じたときに前板１２の一部を覆う掩蓋片２２を有する。蓋部２０を閉じたときに掩蓋片２２に覆われる前板１２の部分のうち、引き出された長尺物９１ｆの幅方向の端部に、長尺物９１ｆが付着する付着手段Ｖが形成されている。而して、引き出された長尺物９１ｆが前板１２と掩蓋片２２とに挟まれたときに付着手段Ｖに付着することとなり、切断しようとして長尺物９１ｆの幅方向の端部を引いたときに長尺物９１ｆがさらに引き出されてしまうことを防ぐことができ、適切に切断することができる。巻回体入り収容箱１００は、巻回体９１ｒと、巻回体収容箱１とを備える。【選択図】図１
2013039954.tif 000002
【特許請求の範囲】
【請求項１】
薄膜状の長尺物が巻かれた巻回体を収容する直方体状に形成された本体部であって、前記巻回体が収容されたときに前記巻回体の軸線と平行になる４つの長方形面のうちの１つが開口した開口面に形成されると共に、前記開口面に直交する２つの前記長方形面のうちの一方を構成する後板と、前記後板に対向する前記長方形面を構成する前板と、を有する本体部と；
前記後板の前記開口面と交わる端辺である後板端辺に、回動可能に連接されて前記開口面を覆う蓋部であって、前記蓋部を閉じたときに前記前板の一部を覆う掩蓋片を有する蓋部とを備え；
前記掩蓋片は、前記前板の前記開口面と交わる端辺である前板端辺に沿って、前記巻回体から引き出された前記長尺物を前記前板との間で前記長尺物の幅全体にわたって挟むことができる大きさに形成されると共に、引き出された前記長尺物を切断する切断刃が前記長尺物の幅全体にわたって設けられ；
前記蓋部を閉じたときに前記掩蓋片に覆われる前記前板の部分のうち、引き出された前記長尺物の幅方向の端部に、前記長尺物が付着する付着手段が形成された；
巻回体収容箱。
【請求項２】
前記前板の、前記付着手段が形成された部分を含む付着手段含有部分が、前記付着手段含有部分の周囲よりも、前記本体部の外側に浮いて形成された；
請求項１に記載の巻回体収容箱。
【請求項３】
前記付着手段が、前記蓋部を閉じたときに前記掩蓋片に覆われる前記前板の部分のうち、引き出された前記長尺物の幅方向の両方の端部に形成された；
請求項１又は請求項２に記載の巻回体収容箱。
【請求項４】
薄膜状の長尺物が巻かれた巻回体と；
請求項１乃至請求項３のいずれか１項に記載の巻回体収容箱とを備える；
巻回体入り収容箱。
【発明の詳細な説明】
【技術分野】
【０００１】
本発明は巻回体収容箱及び巻回体入り収容箱に関し、特に長尺物を適切に切断することができる巻回体収容箱及び巻回体入り収容箱に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルム（巻回体）が、長い直方体の容器（収容箱）に収容されており、使用する際には、先端のフィルムをロールから必要量引き出し、容器の蓋に取り付けられている切断刃で切断する。切断刃の構造として、巻回体の軸方向に延びる直線状をなす構造と、巻回体の軸方向における中央が頂点になるＶ字状をなす構造とが一般に知られている。直線状の切断刃を用いてフィルムを切断する態様では、まず容器から引き出されたフィルムの上記巻回体の軸方向における一端を切断刃の一端に押し当て、次いで引き出されたフィルムを切断刃の歯先から歯根に向けて引き上げることによって、巻回体の軸方向における一端から他端に向けてフィルムが切り開かれる。
【０００３】
他方、Ｖ字状の切断刃を用いてフィルムを切断する態様では、まず容器から引き出されたフィルムの上記巻回体の軸方向における中心位置を切断刃における巻回体の軸方向の中心位置に押し当て、次いで巻回体の軸に平行な回転軸を中心にして容器（切断刃）を回転させることによって、巻回体の軸方向における中心位置から両端に向けてフィルムが切り開かれることを予定している。ところが、容器を利用する者が切断刃の構造を認知するとは限らず、切断刃の構造を認知した場合であっても、その構造に適した切断方法を適切に選択するとも限らない。例えばＶ字状の切断刃が設けられた容器において、巻回体の軸方向における一端から他端に向けてフィルムが切断される場合があり得る。
【０００４】
Ｖ字状の切断刃が設けられた容器において、巻回体の軸方向における一端から他端に向けてフィルムが切断される場合に対応したものとして、ラップフィルムが巻き回されたロールの軸方向に延びるように形成され、軸方向における中心位置が頂点になるＶ字状になるかたちで複数の歯先が配列された中央部を有し、ロールが収容される包装物供給装置に取り付けられることによりラップフィルムを軸方向で切断可能にする包装容器用の切断刃であって、中央部における軸方向の両端から軸方向の外側に延びる直線状になるかたちで複数の歯先が配列された一対の端部を有し、一対の端部を構成する歯先の軸方向における位置を、同歯先に対応する歯における一対の歯底の中間位置から軸方向の外側とすることで、切断性を損なうことなく切断方法の選択範囲を拡張した切断刃を備えた包装容器がある（例えば、特許文献１参照。）。
【先行技術文献】
【特許文献】
【０００５】
【特許文献１】特開２０１０−１２０６５６号公報（段落０００２−００１０等）
【発明の概要】
【発明が解決しようとする課題】
【０００６】
フィルムを巻回体の軸方向の中央から切断する場合も一端から他端に向けて切断する場合も、切断刃が取り付けられた蓋の、巻回体の軸方向中央部分を押さえて、フィルムが切断刃の歯先から歯根に向けて引き上げられるのが一般的である。フィルムを巻回体の軸方向の一端から他端に向けて切断しようとする場合、巻回体の軸方向中央部分の蓋を押さえてフィルムを引き上げると、蓋の端部にはフィルムを押さえる力が作用していないため、フィルムを切断しようとする力が、フィルムが巻回体から引き出される方向に作用してしまい、適切にフィルムを切断することができないことがあった。
【０００７】
本発明は上述の課題に鑑み、長尺物を切断しようとする力によって長尺物がさらに引き出されることを防いで適切に切断することができる巻回体収容箱及び巻回体入り収容箱を提供することを目的とする。
【課題を解決するための手段】
【０００８】
上記目的を達成するために、本発明の第１の態様に係る巻回体収容箱は、例えば図１に示すように、薄膜状の長尺物９１ｆが巻かれた巻回体９１ｒを収容する直方体状に形成された本体部１０であって、巻回体９１ｒが収容されたときに巻回体９１ｒの軸線９１ａと平行になる４つの長方形面のうちの１つが開口した開口面１０ｈに形成されると共に、開口面１０ｈに直交する２つの長方形面のうちの一方を構成する後板１４と、後板１４に対向する長方形面を構成する前板１２と、を有する本体部１０と；後板１４の開口面１０ｈと交わる端辺である後板端辺１８に、回動可能に連接されて開口面１０ｈを覆う蓋部２０であって、蓋部２０を閉じたときに前板１２の一部を覆う掩蓋片２２を有する蓋部２０とを備え；掩蓋片２２は、前板１２の開口面１０ｈと交わる端辺である前板端辺１９に沿って、巻回体９１ｒから引き出された長尺物９１ｆを前板１２との間で長尺物９１ｆの幅全体にわたって挟むことができる大きさに形成されると共に、引き出された長尺物９１ｆを切断する切断刃２３が長尺物９１ｆの幅全体にわたって設けられ；蓋部２０を閉じたときに掩蓋片２２に覆われる前板１２の部分のうち、引き出された長尺物９１ｆの幅方向の端部に、長尺物９１ｆが付着する付着手段Ｖが形成されている。
【０００９】
このように構成すると、引き出された長尺物が前板と掩蓋片とに挟まれたときに付着手段に付着することとなり、長尺物を幅方向の端部から切断しようとして長尺物の幅方向の端部を引いたときに長尺物がさらに引き出されてしまうことを防ぐことができ、適切に切断することができる。
【００１０】
また、本発明の第２の態様に係る巻回体収容箱は、例えば図１に示すように、上記本発明の第１の態様に係る巻回体収容箱１において、前板１２の、付着手段Ｖが形成された部分を含む付着手段含有部分１２ｐが、付着手段含有部分１２ｐの周囲１２ｙよりも、本体部１０の外側に浮いて形成されている。
【００１１】
このように構成すると、蓋部を閉めたときに掩蓋片と前板との間に隙間が生じる場合であっても付着手段含有部分と掩蓋片とで長尺物を挟むことができ、長尺物がさらに引き出されてしまうことを防ぐことができる。
【００１２】
また、本発明の第３の態様に係る巻回体収容箱は、例えば図１に示すように、上記本発明の第１の態様又は第２の態様に係る巻回体収容箱１において、付着手段Ｖが、蓋部２０を閉じたときに掩蓋片２２に覆われる前板１２の部分のうち、引き出された長尺物９１ｆの幅方向の両方の端部に形成（ＶＡ、ＶＢ）されている。
【００１３】
このように構成すると、巻回体収容箱を持つ手と長尺物を摘む手とが、それぞれ左右どちらの場合でも対応することができる。
【００１４】
また、本発明の第４の態様に係る巻回体入り収容箱は、例えば図１に示すように、薄膜状の長尺物が巻かれた巻回体９１ｒと；上記本発明の第１の態様乃至第３の態様のいずれか１つの態様に係る巻回体収容箱１とを備える。
【００１５】
このように構成すると、長尺物を幅方向の端部から切断する場合も適切に切断することができる巻回体入り収容箱となる。
【発明の効果】
【００１６】
本発明によれば、引き出された長尺物が前板と掩蓋片とに挟まれたときに付着手段に付着することとなり、長尺物を幅方向の端部から切断しようとして長尺物の幅方向の端部を引いたときに長尺物がさらに引き出されてしまうことを防ぐことができ、適切に切断することができる。
【図面の簡単な説明】
【００１７】
【図１】（Ａ）は本発明の実施の形態に係るラップカートンを含むラップ入りカートンの斜視図、（Ｂ）は（Ａ）における部分拡大斜視図、（Ｃ）は（Ａ）における部分側面断面図である。
【図２】（Ａ）は本発明の実施の形態の変形例に係るラップカートンの部分斜視図、（Ｂ）は（Ａ）における部分側面断面図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る、巻回体収容箱としてのラップカートン１、及びラップカートン１に巻回体としてのラップロール９１ｒが収容された巻回体入り収容箱としてのラップ入りカートン１００を説明する。図１（Ａ）は、ラップ入りカートン１００の斜視図、図１（Ｂ）は（Ａ）における小片１２ｐＡまわりの部分拡大斜視図、図１（Ｃ）は（Ａ）における部分側面断面図である。図１（Ａ）は、開蓋状態を示している。ラップロール９１ｒは、薄膜状の長尺物としてのラップフィルム９１ｆが円筒状の巻芯に軸線９１ａまわりに巻かれてロール状に形成されたものである。以下の説明において、ラップロール９１ｒとラップフィルム９１ｆとの外観形状の区別をしない場合は、「ラップ９１」と総称する。ラップフィルム９１ｆは、本実施の形態では、ポリ塩化ビニリデンを原料として厚さが５〜２０μｍに形成されている。ラップカートン１は、ラップロール９１ｒを収容する本体部１０と、本体部１０に連接された蓋部２０とを備えている。
【００２０】
本体部１０は、未使用のラップロール９１ｒを収容できる大きさの直方体に対して、細長い面の１つが開口面１０ｈとなっている箱である。本体部１０の大きさは、収容した未使用のラップロール９１ｒを軸線９１ａ回りに回転させるのを妨げない隙間が形成される一方で、できるだけ小さく形成されており、本実施の形態では幅４４ｍｍ、高さ４４ｍｍ、長さ３１０ｍｍの大きさに形成されている。本体部１０は、開口面１０ｈと協働して直方体の側面を構成する前板１２、底板１３、後板１４と、直方体の端面を構成する２つの脇板１５とを有している。底板１３は、開口面１０ｈに対向している。前板１２及び後板１４は、開口面１０ｈ及び底板１３に直交している。脇板１５は、典型的には正方形に形成されているが、縦横の長さが異なる矩形であってもよい。以下の説明においては、水平な面に底板１３が載置された状態を基準として、底板１３側を下、開口面１０ｈ側を上として説明する場合もある。
【００２１】
脇板１５の上端の中央部分には、３ｍｍ程度上方に延びた小片が外側に折り返されて形成された突起１５ｐが設けられている。突起１５ｐは、２つあるそれぞれの脇板１５の上端に設けられている。また、本体部１０は、前板端辺１９で前板１２と連続する副板１６（図１（Ｃ）参照）を有している。前板端辺１９は、前板１２と開口面１０ｈとが交わる部分の前板１２の端辺である。副板１６は、前板１２と略同じ大きさであるが底板１３とは接しておらず、前板１２よりも本体部１０の内側に設けられている。副板１６は、底板１３側の端辺が、長手方向に沿って前板１２に接着されている。
【００２２】
蓋部２０は、本体部１０の開口面１０ｈを塞ぐ部材である。蓋部２０は、蓋板２１と、掩蓋片２２と、切断刃２３と、側蓋片２５とを有している。蓋板２１は、開口面１０ｈと略同じ大きさの矩形平板状部材であり、蓋板２１を開口面１０ｈに合わせることで本体部１０を閉塞した直方体とすることができるようになっている。蓋板２１が開口面１０ｈと略同じ大きさとは、蓋板２１が、掩蓋片２２の厚さ及び側蓋片２５の厚さの分大きく、蓋部２０の開閉を妨げない隙間が形成される程度大きい場合を含むことを意味している。蓋板２１は、長手方向の一辺が、本体部１０の後板端辺１８で連接している。換言すれば、本体部１０と蓋板２１とは、後板端辺１８を介して連接している。後板端辺１８は、後板１４と開口面１０ｈとが交わる部分の後板１４の端辺である。蓋板２１は、後板端辺１８を回転軸線として、本体部１０に対して回動することができるように構成されている。
【００２３】
掩蓋片２２は、折曲辺２１ｆを介して蓋板２１と直交し、蓋部２０を閉じたときに底板１３に向かって延びるように設けられている。掩蓋片２２は、ラップロール９１ｒの軸線９１ａが延びる方向（以下「軸線方向Ｄ」という。）の両端における高さ（長方形の前板１２の短辺方向の長さ）が、前板１２の短辺方向の長さの約１／２で、軸線方向Ｄの中央部の高さが、前板１２の短辺方向の長さの約３／４となっている。このような構成により、折曲辺２１ｆに対向する先端辺２２ｔがＶ字状に形成されることとなる。掩蓋片２２は、蓋部２０が閉じられたときに、前板１２に沿って前板１２の外側に重なり、前板１２の上部を五角形状に覆うこととなる。掩蓋片２２は、軸線方向Ｄの長さが前板１２よりも長く構成されており、本体部１０に収容されているラップ９１の幅よりも長い。これにより、掩蓋片２２は、本体部１０の中から引き出されたラップフィルム９１ｆを、その幅全体にわたって、前板１２との間に挟むことができるように構成されている。掩蓋片２２の先端辺２２ｔには、ラップフィルム９１ｆを切断するための切断刃２３が取り付けられている。切断刃２３は、刃先が先端辺２２ｔから出るように、先端辺２２ｔに沿ってＶ字状に設けられている。
【００２４】
側蓋片２５は、蓋板２１及び掩蓋片２２の双方に直交して設けられている。側蓋片２５は、蓋板２１（掩蓋片２２）の両端に合計２つ設けられている。側蓋片２５は、基本形状が、長辺が蓋板２１の短辺と同じ長さで、短辺が掩蓋片２２の中央部における高さ（Ｖ字状の先端から折曲辺２１ｆまでの最短距離）と略同じ長さの長方形に形成されている。この基本形状を基に、側蓋片２５は、底板１３側の辺と後板１４側の辺とが交わる角部が、丸みを帯びている。この角部の丸みは、半径を１５〜１６ｍｍ、中心角を９０°とする円弧である。側蓋片２５は、掩蓋片２２に連接された接合片２２ｊに接着剤で固定されている。側蓋片２５の内側には、接合片２２ｊと蓋板２１との間に、凹部２５ｄが形成されている。凹部２５ｄには、蓋部２０を閉じたときに、脇板１５の上端に設けられた突起１５ｐが嵌ることとなる。上述のように構成された蓋部２０は、閉じたときに、本体部１０の開口１０ｈに覆い被さり、掩蓋片２２が前板１２の上部を覆うようになっている。
【００２５】
本体部１０及び蓋部２０は、本実施の形態では、約０．４５〜０．７ｍｍ厚のコートボール紙が加工されて形成されている。本実施の形態では、説明の便宜上、本体部１０と蓋部２０とを機能の観点から区別しているが、本体部１０及び蓋部２０は、１枚の原紙を切り出して組み立てられて一体に形成されている。本体部１０及び蓋部２０の表面は、消費者の購買意欲を惹起するようなデザインが印刷されたうえで、全体に表面処理が施されている。
【００２６】
ラップカートン１は、前板１２の上部中央に、フラップ１２ｆが形成されている。フラップ１２ｆは、本実施の形態では、軸線方向Ｄの長さが前板１２（以下、単に前板１２というときは、フラップ１２ｆ等を含めた長方形の前板１２全体をいう。）の長さの約１／３、高さ方向の長さが前板１２の長さの約１／２に形成されている。フラップ１２ｆは、輪郭が、前板端辺１９を概ね３等分する点の一方から、底板１３側かつ遠い方の脇板１５側に進みつつ、上記概ね３等分する点の他方に至るように、前板１２の面内が切断されることで形成されている。フラップ１２ｆの下側の辺は、３つの凸部ができるような波形に形成されている。フラップ１２ｆは、前板端辺１９で副板１６と連接しており、前板端辺１９を回転軸線として回動することができるように構成されている。フラップ１２ｆの概ね図心部分には、保持部１２ｆｓが設けられている。保持部１２ｆｓは、ＵＶニスが塗布されることで形成されている。保持部１２ｆｓを形成するＵＶニスは、ラップフィルム９１ｆに対して付着するが、紙や埃等は付着しない特性を有している。フラップ１２ｆは、蓋部２０を閉じたときに掩蓋片２２に覆われて外面に表れない大きさに形成されている。
【００２７】
ラップカートン１は、さらに、前板１２の上部の軸線方向Ｄの端部に、小片１２ｐが形成されている。小片１２ｐは、本実施の形態では、フラップ１２ｆを正面に見て左側の小片１２ｐＡと、右側の小片１２ｐＢとの合計２つが形成されている。２つの小片１２ｐＡ、１２ｐＢは、前板１２を軸線方向Ｄに２等分する仮想直線に対して線対称に形成されている。以下、２つの小片１２ｐＡ、１２ｐＢに共通の構成を説明するときは、単に「小片１２ｐ」と総称する。小片１２ｐは、輪郭が、前板端辺１９上の点から前板１２の面内を通り、出発点から離れた前板端辺１９上の点に至り、全体として台形あるいは矩形状となるように、前板１２の面内が切断されることで形成されている。小片１２ｐは、前板端辺１９で副板１６と連接しており、前板端辺１９を回転軸線として回動することができるように構成されている。このような構成により、小片１２ｐは、副板１６から離れ、本体部１０の外側に浮いている。他方、小片１２ｐを除く小片１２ｐのまわりの、フラップ１２ｆ以外の前板１２の部分である前板主部１２ｙは、副板１６に実質的に接している（接していない部分があっても接しているに等しいと評価できる）。小片１２ｐは、前板主部１２ｙよりも、外側に浮いている。
【００２８】
小片１２ｐは、本実施の形態では、軸線方向Ｄの長さが約３０ｍｍ、高さ方向の長さが約２０ｍｍで、脇板１５から約１０ｍｍ離れた位置に形成されており、脇板１５に接触せずに離れており、フラップ１２ｆにも接触せずに離れている。小片１２ｐは、蓋部２０を閉じたときに掩蓋片２２に覆われて外面に表れない位置及び大きさに形成されている。小片１２ｐは、外表面に付着手段Ｖが形成されている。付着手段Ｖという表現は、小片１２ｐＡの付着手段ＶＡと、小片１２ｐＢの付着手段ＶＢとの総称である。付着手段Ｖは、ＵＶニスが塗布されることで形成されている。付着手段Ｖを形成するＵＶニスは、ラップフィルム９１ｆに対して付着するが、紙や埃等は付着しない特性を有している。また、付着手段Ｖに付着したラップフィルム９１ｆは、付着面に平行な方向（せん断方向）には強く付着するが、付着面から引き離す方向には弱く付着する。つまり、付着手段Ｖは、ラップフィルム９１ｆが付着面から離れる方向に引かれたときにはラップフィルム９１ｆが容易に剥がれるように構成されている。付着手段Ｖとして塗布されるＵＶニスは、典型的には保持部１２ｆｓとして塗布されるＵＶニスと同じものであるが、異なるものであってもよい。本実施の形態では、付着手段Ｖの面積が小片１２ｐの面積よりも小さく形成されているが、小片１２ｐの表面全体に付着手段Ｖが形成されていてもよい。このように、小片１２ｐは、付着手段Ｖを含んでおり、付着手段含有部分を構成する。
【００２９】
引き続き図１を参照して、ラップ入りカートン１００の作用を説明する。ラップカートン１の作用は、ラップ入りカートン１００の作用の一環として説明する。未開封のラップ入りカートン１００は、掩蓋片２２の先端に、先端辺２２ｔ上のミシン目（不図示）を介して切取片（不図示）が接続されており、切取片（不図示）は前板１２に複数の点で接着されている。ラップフィルム９１ｆを初めて使用する際は、切取片（不図示）を、前板１２から剥がしつつミシン目（不図示）で切断して掩蓋片２２から分離する。このようにラップカートン１を開封することで、蓋部２０が本体部１０に対して後板端辺１８まわりに回動可能な状態となる。
【００３０】
開封されたラップ入りカートン１００は、本体部１０の中にラップロール９１ｒが入っている。ラップロール９１ｒには、ラップフィルム９１ｆの先端に引出シール（不図示）が貼り付けられており、引出シール（不図示）を摘んで引き出すことでラップフィルム９１ｆの先端がラップロール９１ｒから剥離し、容易にラップフィルム９１ｆを引き出すことができる。ラップフィルム９１ｆを使用する際は、ラップロール９１ｒからラップフィルム９１ｆを必要な長さ分引き出して切断刃２３で切断する。このとき、ラップフィルム９１ｆを必要な長さ分引き出した状態で蓋部２０を閉じ、ラップフィルム９１ｆを前板１２と掩蓋片２２とで挟み、掩蓋片２２の図心を親指で押さえ、切断刃２３の中央を引き出されたラップフィルム９１ｆに食い込ませるようにラップ入りカートン１００を軸線９１ａまわりにひねると、ラップフィルム９１ｆがよじれることなくきれいに切断することができ、好適である。
【００３１】
切断された後に前板１２と掩蓋片２２との間に挟まれているラップフィルム９１ｆは、保持部１２ｆｓに付着しているため、ラップロール９１ｒへの巻き戻りが防止される。また、次回ラップフィルム９１ｆを使用する際に、蓋部２０を開けると、フラップ１２ｆが前板主部１２ｙから浮いているので、保持部１２ｆｓに付着しているラップフィルム９１ｆの先端も前板主部１２ｙから浮くこととなり、摘みやすい。
【００３２】
Ｖ字状の切断刃２３が設けられたラップカートン１では、上述のように切断刃２３の中央（Ｖ字の頂点）から両端に向かって切断刃２３がラップフィルム９１ｆに接するように切断することを予定している。ところが、切断刃２３がＶ字状であるか否かにかかわらず、切断刃２３の一端から他端に向けて切断刃２３がラップフィルム９１ｆに接するように切断しようとする使用者もいる。ラップフィルム９１ｆを一端から切断する場合は、一般に、ラップカートン１を持った手とは逆の手の指先でラップフィルム９１ｆの先端を持ち、ラップフィルム９１ｆの切断を始めようとする端が蓋板２１の方に引き上げられるように、ラップフィルム９１ｆを持った手を動かす。この動きに伴って、引き出されたラップフィルム９１ｆの幅方向の、切断を始めようとする端は、ラップロール９１ｒからさらに引き出される方向の力が作用する。
【００３３】
ラップカートン１を持つ手によって掩蓋片２２の中央部はラップフィルム９１ｆを挟んで前板１２に接しているが、掩蓋片２２の端は、蓋部２０を開閉自在にするために前板１２との間に隙間を空けている構造のまま、前板１２に接していない。そのため、従来のラップカートンでは、ラップフィルム９１ｆの幅方向の端の部分が押さえられないため、ラップフィルム９１ｆを端から切断しようとすると、その端がラップロール９１ｒからさらに引き出されてしまってたるんでしまい、ラップフィルム９１ｆの切断しようとする端に適切な張力が作用せず、きれいに切断することができなかった。しかし、本実施の形態に係るラップカートン１を備えるラップ入りカートン１００によれば、前板主部１２ｙから浮いた小片１２ｐが、掩蓋片２２との間にラップフィルム９１ｆを挟むと共に、付着手段Ｖがラップフィルム９１ｆに付着するので、ラップフィルム９１ｆを端から切断しようとする場合でも、その端がラップロール９１ｒからさらに引き出されることが防止される。これにより、ラップフィルム９１ｆの切断しようとする端に適切な張力が作用し、きれいに切断することができる。
【００３４】
上述のように、ラップ入りカートン１００によれば、ラップフィルム９１ｆを切断刃２３の中心から切断する場合も端から切断する場合も、ラップフィルム９１ｆに適切な張力を作用させることができ、ラップフィルム９１ｆを適切に切断することができる。上述の趣旨に鑑み、付着手段Ｖが形成される端部とは、引き出されたラップフィルム９１ｆをその幅方向の端から切断しようとしてラップフィルム９１ｆの当該端を蓋板２１の方に引き上げたときに、ラップフィルム９１ｆの当該端に切断を妨げるほどのたるみを生じさせずに適切な張力を作用させることができる範囲まで中央側に入り込んだ領域を含む概念である。
【００３５】
以上の説明では、ラップフィルム９１ｆがポリ塩化ビニリデンを原料として薄膜状に形成されているとしたが、ポリ塩化ビニリデン以外の、例えば、ポリエチレンやポリ塩化ビニル等の通常家庭用ラップで使用される合成樹脂で形成されていてもよい。
【００３６】
以上の説明では、付着手段Ｖが小片１２ｐに形成されているとしたが、小片１２ｐによる前板主部１２ｙからの浮きがなくてもラップフィルム９１ｆの端のたるみを防ぐことができる場合は、小片１２ｐを形成せずに前板主部１２ｙに直接付着手段Ｖが形成されていてもよい。
【００３７】
以上の説明では、付着手段Ｖ（及び小片１２ｐ）が軸線方向Ｄの両端に形成されているとしたが、ラップフィルム９１ｆを端から切断する際の方向を決める場合は、切断を始める一方の端にのみ付着手段Ｖ（及び小片１２ｐ）を形成することとしてもよい。しかしながら、付着手段Ｖ（及び小片１２ｐ）が軸線方向Ｄの両端に形成されていると、ラップフィルム９１ｆをどちらの端から切断する場合でもたるみ防止の効果を享受することができ、ラップカートン１を右手で持って切断する人と左手で持って切断する人との両者に対応できるため、好ましい。
【００３８】
以上の説明では、付着手段Ｖが、ＵＶニスが塗布されて形成されているとしたが、粘着剤を塗布する等、ＵＶニス以外の物質で形成されていてもよい。また、付着手段Ｖは、塗布によって形成されるもののほか、ラップフィルム９１ｆが付着する材質であらかじめ形成されたシート状のラベルを貼付することによって形成されていてもよい。ラップフィルム９１ｆが付着する材質として、ラップフィルム９１ｆ自体（ラップフィルム９１ｆと同じ材料で形成されたラベル）、あるいは、ポリ塩化ビニリデン、ポロプロピレン、ポリエチレンテレフタレート等の合成樹脂のうち、ラップカートン１に収容されるラップ９１に付着するものが挙げられる。つまり、付着手段Ｖは、用いられるラップフィルム９１ｆ等の長尺物の材質に応じて、当該長尺物には付着しつつ容易に剥がせることができるが埃等の異物は付着しない特性を有している物質で形成されていると好適である。
【００３９】
以上の説明では、付着手段含有部分が、前板端辺１９を回動軸線として回動することができる小片１２ｐであるとしたが、小片１２ｐ以外の構成で前板主部１２ｙよりも外側に浮かせることとしてもよい。
図２（Ａ）は本発明の実施の形態の変形例に係るラップカートン１Ａの開蓋状態の部分斜視図、図２（Ｂ）はラップカートン１Ａの部分側面断面図である。ラップカートン１Ａでは、ラップカートン１（図１参照）に設けられていた小片１２ｐ（図１参照）に代えて、エンボス加工によって外側に凸になるように形成されたエンボス部１２ｅが設けられている。エンボス部１２ｅは、前板主部１２ｙよりも外側に浮くように形成されている。エンボス部１２ｅの外表面にも、小片１２ｐ（図１参照）と同様に、ＵＶニスの塗布やラベルの貼付等によって付着手段Ｖが形成されている。エンボス部１２ｅは、典型的には、小片１２ｐ（図１参照）が設けられていた位置に小片１２ｐ（図１参照）と同じ大きさで前板１２に形成されているが、ラップフィルム９１ｆを端から切断しようとする場合にその端がラップロール９１ｒからさらに引き出されることが防止されるように掩蓋片２２と協働してラップフィルム９１ｆを押さえることができれば、位置及び／又は大きさを適宜変更してもよい。ラップカートン１Ａの上記以外の構成は、ラップカートン１（図１参照）と同様である。このように構成されたラップカートン１Ａによれば、前板主部１２ｙから浮いたエンボス部１２ｅが、掩蓋片２２との間にラップフィルム９１ｆを挟むと共に、付着手段Ｖがラップフィルム９１ｆに付着するので、ラップフィルム９１ｆを端から切断しようとする場合でも、その端がラップロール９１ｒからさらに引き出されることが防止され、これにより、ラップフィルム９１ｆの切断しようとする端に適切な張力が作用し、きれいに切断することができる。
【符号の説明】
【００４０】
１    ラップカートン
１０  本体部
１０ｈ  開口面
１２  前板
１２ｅ  エンボス部
１２ｐ  小片
１２ｙ  前板主部
１３  底板
１４  後板
１５  脇板
１８  後板端辺
１９  前板端辺
２０  蓋部
２１  蓋板
２２  掩蓋片
２３  切断刃
２５  側蓋片
９１ａ  軸線
９１ｆ  ラップフィルム
９１ｒ  ラップロール
１００  ラップ入りカートン
Ｖ    ＵＶニス
【図１】
2013039954.tif 000003
【図２】
2013039954.tif 000004